(57)【要約】【課題】携帯型端末装置を有効に活用することが可能な電子機器及び方法を提供することにある。【解決手段】実施形態によれば、携帯型端末装置が装着される電子機器が提供される。実施形態に係る電子機器は、電力供給手段と、検出手段と、制御手段とを具備する。電力供給手段は、携帯型端末装置が装着された場合に電力を当該携帯型端末装置に対して供給する。検出手段は、人の存在を検出する。制御手段は、携帯型端末装置が装着されている間に検出手段によって人の存在が検出された場合、電力の供給を一時的に停止した後、当該電力の供給を再開する制御を実行する。【選択図】図６
2016051295.tif 000002
【特許請求の範囲】
【請求項１】
携帯型端末装置が装着される電子機器であって、
前記携帯型端末装置が装着された場合に電力を当該携帯型端末装置に対して供給する電力供給手段と、
人の存在を検出する検出手段と、
前記携帯型端末装置が装着されている間に前記検出手段によって人の存在が検出された場合、前記電力の供給を一時的に停止した後、当該電力の供給を再開する制御を実行する制御手段と
を具備する電子機器。
【請求項２】
前記装着された携帯型端末装置は、前記電力の供給が再開された場合に当該携帯型端末装置の画面を点灯させて情報を表示する機能を有することを特徴とする請求項１記載の電子機器。
【請求項３】
前記制御手段は、前記検出手段によって人の存在が検出されている間、予め定められた期間毎に前記制御を実行する請求項２記載の電子機器。
【請求項４】
前記装着された携帯型端末装置は、当該携帯型端末装置の画面を点灯させた後、当該携帯型端末装置において設定されている期間を経過した際に当該画面を消灯させる機能を有し、
前記制御が実行される期間は、前記携帯型端末装置において設定されている期間に基づいて定められる
請求項３記載の電子機器。
【請求項５】
前記制御手段は、前記検出手段によって人の存在が検出されていない間、前記電力の供給を維持する請求項１記載の電子機器。
【請求項６】
携帯型端末装置が装着される電子機器が実行する方法であって、
前記携帯型端末装置が装着された場合に電力を当該携帯型端末装置に対して供給することと、
人の存在を検出することと、
前記携帯型端末装置が装着されている間に人の存在が検出された場合、前記電力の供給を一時的に停止した後、当該電力の供給を再開する制御を実行することと
を具備する方法。
【発明の詳細な説明】
【技術分野】
【０００１】
本発明の実施形態は、電子機器及び方法に関する。
【背景技術】
【０００２】
近年では、例えばタブレット端末等のような携帯型端末装置が、家庭、企業及び学校等において飛躍的に普及している。このような携帯型端末装置によれば、例えば当該携帯型端末装置に対するユーザの操作に応じて、当該ユーザが意図した種々の情報を表示することが可能である。
【先行技術文献】
【特許文献】
【０００３】
【特許文献１】特開２０１３−１６５３７６号公報
【発明の概要】
【発明が解決しようとする課題】
【０００４】
しかしながら、携帯型端末装置の利用態様としては、上記したようにユーザの操作に応じて情報を表示させるといったものが主であり、当該携帯型端末装置が十分活用されているとはいえない。
【０００５】
換言すれば、例えばユーザが操作を行っていない場合、すなわち、ユーザが意図していない状況においても、当該ユーザに対して各種情報を提供（表示）することにより、携帯型端末装置をより有効に活用することができると考えられる。
【０００６】
そこで、本発明が解決しようとする課題は、携帯型端末装置を有効に活用することが可能な電子機器及び方法を提供することにある。
【課題を解決するための手段】
【０００７】
実施形態によれば、携帯型端末装置が装着される電子機器が提供される。実施形態に係る電子機器は、電力供給手段と、検出手段と、制御手段とを具備する。前記電力供給手段は、前記携帯型端末装置が装着された場合に電力を当該携帯型端末装置に対して供給する。前記検出手段は、人の存在を検出する。前記制御手段は、前記携帯型端末装置が装着されている間に前記検出手段によって人の存在が検出された場合、前記電力の供給を一時的に停止した後、当該電力の供給を再開する制御を実行する。
【図面の簡単な説明】
【０００８】
【図１】実施形態に係るクレードルの外観の一例を示す斜視図。
【図２】クレードルに装着されるタブレット端末の外観の一例を示す斜視図。
【図３】クレードルにタブレット端末が装着された状態の一例を示す斜視図。
【図４】クレードルのシステム構成の一例を示す図。
【図５】タブレット端末のシステム構成の一例を示す図。
【図６】クレードル及びタブレット端末の主として機能構成を示すブロック図。
【図７】クレードルの処理手順を示すフローチャート。
【図８】タブレット端末の画面の点灯及び消灯の遷移について説明するための図。
【発明を実施するための形態】
【０００９】
以下、図面を参照して、実施形態について説明する。
【００１０】
図１は、本実施形態に係る電子機器の外観の一例を示す斜視図である。図１に示す電子機器は、例えばクレードル等と称される機器である。以下の説明においては、本実施形態に係る電子機器をクレードルと称する。
【００１１】
図１に示すクレードル１０は、例えばテーブルまたは机等の上に置かれて使用される卓上型のクレードルである。図１に示すように、クレードル１０は、壁部１１及び載置部１２を備える。これにより、クレードル１０は、携帯型端末装置を壁部１１に立て掛けるようにして載置部１２に載置することによって、当該携帯型端末装置を装着可能な構成である。なお、クレードル１０に装着される携帯型端末装置には、例えばタブレット端末、スマートフォン及びＰＤＡ等が含まれる。以下の説明においては、クレードル１０に装着される携帯型端末装置はタブレット端末であるものとして説明する。
【００１２】
また、載置部１２には、充電端子１２ａ、スイッチ１２ｂ及び人感センサ（焦電センサ）１２ｃが設けられている。
【００１３】
充電端子１２ａは、図１に示すように例えば載置部１２の上面に設けられており、この充電端子１２ａにより、タブレット端末がクレードル１０に装着されると、当該クレードル１０と当該タブレット端末とが電気的に接続される。これにより、クレードル１０に装着されたタブレット端末に対して当該クレードル１０から電力を供給することが可能となり、クレードル１０によってタブレット端末を充電することができる。
【００１４】
スイッチ１２ｂは、タブレット端末がクレードル１０に装着された場合に当該タブレット端末によって押下された状態となる位置（図１に示す例では、載置部１２の上面）に設けられている。タブレット端末がクレードル１０に装着されることによってこのようなスイッチ１２ｂが押下された場合には、クレードル１０が電源オンされて上記したタブレット端末の充電等が開始される。
【００１５】
人感センサ１２ｃは、図１に示すように例えば載置部１２の前面側に支持されている。人感センサ１２ｃは、当該人感センサ１２ｃの近傍（つまり、クレードル１０の周囲）における人の存在（つまり、人がいること）を検出するためのセンサである。
【００１６】
ここで、図２は、図１に示すクレードル１０に装着されるタブレット端末の外観の一例を示す斜視図である。図２に示すタブレット端末２０は、本体２１とタッチスクリーンディスプレイ２２とを備える。
【００１７】
本体２１は、薄い箱型の筐体を有する。タッチスクリーンディスプレイ２２には、フラットパネルディスプレイと、フラットパネルディスプレイの画面上への指等の接触位置を検出するセンサとが組み込まれている。フラットパネルディスプレイは、例えばＬＣＤ等を含む。センサは、例えばタッチパネル等を含む。この場合、タッチパネルは、ＬＣＤを覆うように設けられる。
【００１８】
図２においては図示されていないが、タブレット端末２０の側面には、例えば当該タブレット端末２０の電源をオン／オフするための電源ボタン（パワーボタン）及びｍｉｃｒｏＵＳＢコネクタ等が設けられている。なお、タブレット端末２０の充電に上記したクレードル１０を用いない場合には、例えば一方のプラグがＵＳＢ電源アダプタ等に差し込まれたＵＳＢケーブルの他方のプラグ（ｍｉｃｒｏＵＳＢプラグ）を、タブレット端末２０に設けられているｍｉｃｒｏＵＳＢコネクタに差し込むことによって、当該タブレット端末２０を充電することも可能である。ＵＳＢ電源アダプタは、ＵＳＢコネクタを備えた外部電源装置である。
【００１９】
図３は、上記した図２に示すタブレット端末２０が図１に示すクレードル１０に装着された状態の一例を示す斜視図である。
【００２０】
図３に示すように、タブレット端末２０は、例えばカバーユニット３０が取り付けられた状態でクレードル１０に装着される。
【００２１】
図示されていないが、カバーユニット３０の内面にはｍｉｃｒｏＵＳＢプラグが設けられており、当該カバーユニット３０は、当該ｍｉｃｒｏＵＳＢプラグがタブレット端末２０の側面に設けられているｍｉｃｒｏＵＳＢコネクタに差し込まれた状態で取り付けられる。これにより、タブレット端末２０及びカバーユニット３０が接続される。
【００２２】
また、カバーユニット３０の側面（カバーユニット３０が取り付けられたタブレット端末２０がクレードル１０に装着された場合に、当該クレードル１０に設けられている充電端子１２ａに当接する位置）には、充電端子（図示せず）が設けられている。
【００２３】
これによれば、カバーユニット３０が取り付けられたタブレット端末２０がクレードル１０に装着された場合には、当該カバーユニット３０の側面に設けられている充電端子と当該クレードル１０の載置部１２の上面に設けられている充電端子１２ａとが当接（接触）するため、当該カバーユニット３０とクレードル１０とを電気的に接続することができる。
【００２４】
すなわち、本実施形態においては、タブレット端末２０がクレードル１０に装着された場合、当該タブレット端末２０に取り付けられているカバーユニット３０を介して当該クレードル１０及びタブレット端末２０が電気的に接続される。
【００２５】
このようなカバーユニット３０を各種タブレット端末２０毎に用意しておくことで、大きさ及び形状等の異なるタブレット端末２０であってもクレードル１０に装着することが可能となる。
【００２６】
ここでは、カバーユニット３０が取り付けられたタブレット端末２０がクレードル１０に装着されるものとして説明したが、タブレット端末２０がクレードル１０に装着された際に、クレードル１０及びタブレット端末２０が電気的に接続可能であれば、当該タブレット端末２０が直接クレードル１０に装着されても構わない。
【００２７】
なお、上述したように本実施形態においてはカバーユニット３０が取り付けられたタブレット端末２０がクレードル１０に装着されるが、以下の説明においては便宜的に単にタブレット端末２０がクレードル１０に装着されるものとして説明する。
【００２８】
また、図３に示すように、カバーユニット３０には適宜開口部３１が設けられている。これによれば、カバーユニット３０がタブレット端末２０に取り付けられた状態であっても、当該タブレット端末２０の側面に設けられている電源ボタン２３等に対する操作を行うことが可能となっている。
【００２９】
図４は、クレードル１０のシステム構成の一例を示す。図４に示すように、クレードル１０は、上述した充電端子１２ａ、スイッチ１２ｂ及び人感センサ１２ｃに加えて、例えば制御回路１０１及び充電回路１０２等を備える。
【００３０】
制御回路１０１は、例えばワンチップマイクロコンピュータとして構成されており、クレードル１０内における各種制御を実行する。制御回路１０１には、スイッチ１２ｂ、人感センサ１２ｃ及び充電回路１０２等が接続される。
【００３１】
充電回路１０２は、例えばクレードル１０に接続されるＵＳＢ電源アダプタのような外部電源装置から供給される電力を、当該クレードル１０に装着されたタブレット端末２０に供給し、当該タブレット端末２０を充電するための回路である。なお、外部電源装置からの電力は、充電端子１２ａを介して供給される。
【００３２】
図５は、クレードル１０に装着されるタブレット端末２０のシステム構成の一例を示す。図５に示すように、タブレット端末２０は、上述したタッチスクリーンディスプレイ２２に加えて、例えばＣＰＵ２０１、不揮発性メモリ２０２、主メモリ２０３、ＢＩＯＳ−ＲＯＭ２０４、システムコントローラ２０５、グラフィクスコントローラ２０６、ＥＣ２０７、電源回路２０８及びバッテリ２０９等を備える。また、タッチスクリーンディスプレイ２２は、ＬＣＤ２２Ａ及びタッチパネル２２Ｂを備える。
【００３３】
ＣＰＵ２０１は、タブレット端末２０内の各コンポーネントの動作を制御するプロセッサである。ＣＰＵ２０１は、ストレージデバイスである不揮発性メモリ２０２から主メモリ２０３にロードされる各種ソフトウェアを実行する。これらソフトウェアには、オペレーティングシステム（ＯＳ）及び各種アプリケーションプログラムが含まれる。
【００３４】
ＣＰＵ２０１は、ＢＩＯＳ−ＲＯＭ２０４に格納された基本入出力システム（ＢＩＯＳ）も実行する。ＢＩＯＳは、ハードウェア制御のためのプログラムである。
【００３５】
システムコントローラ２０５は、ＣＰＵ２０１のローカルバスと各種コンポーネントとの間を接続するデバイスである。システムコントローラ２０５には、主メモリ２０３をアクセス制御するメモリコントローラも内蔵されている。システムコントローラ２０５は、ＰＣＩ  ＥＸＰＲＥＳＳ規格のシリアルバス等を介してグラフィクスコントローラ２０６との通信を実行する機能も有している。
【００３６】
グラフィクスコントローラ２０６は、タブレット端末２０のタッチスクリーンディスプレイ２２として使用されるＬＣＤ２２Ａを制御する表示コントローラである。グラフィクスコントローラ２０６によって生成される表示信号は、ＬＣＤ２２Ａに送られる。ＬＣＤ２２Ａは、表示信号に基づいて画面イメージを表示する。タッチパネル２２Ｂは、ＬＣＤ２２Ａの画面上で入力を行うための例えば静電容量式のポインティングデバイスである。例えばユーザの指が接触される画面上の接触位置及び当該接触位置の動き等は、タッチパネル２２Ｂによって検出される。このタッチパネル２２Ｂにより、ＬＣＤ２２Ａの画面に表示されたグラフィカルユーザインタフェース等を操作することができる。
【００３７】
ＥＣ２０７は、電力管理のためのエンベデッドコントローラを含むワンチップマイクロコンピュータである。ＥＣ２０７は、ユーザによる電源ボタン２３に対する操作に応じてタブレット端末２０を電源オン／オフする機能を有している。
【００３８】
電源回路２０８は、例えばバッテリ２０９から供給される電力を用いて、タブレット端末２０内の各コンポーネントに供給すべき電力を生成する。
【００３９】
なお、図５においては、上述した電源ボタン２３及びｍｉｃｒｏＵＳＢコネクタ等については省略されている。
【００４０】
図６は、本実施形態に係るクレードル１０及び当該クレードル１０に装着されるタブレット端末２０の主として機能構成を示すブロック図である。
【００４１】
図６に示すように、クレードル１０は、電力供給部１１１、検出部１１２及び制御部１１３を含む。
【００４２】
電力供給部１１１は、上記したクレードル１０に備えられる充電回路１０２によって実現される機能部である。電力供給部１１１は、タブレット端末２０がクレードル１０に装着された場合、電力（例えば、バッテリ２０９を充電するための電力）を当該タブレット端末２０に対して供給する。
【００４３】
検出部１１２は、クレードル１０（に備えられる載置部１２）に設けられている人感センサ１２ｃによって実現される機能部であり、当該クレードル１０の周囲における人の存在を検出する。
【００４４】
制御部１１３は、クレードル１０に備えられる制御回路１０１によって実現される機能部である。制御部１１３は、上記したようにタブレット端末２０がクレードル１０に装着されている間に検出部１１２によって人の存在が検出された場合、電力供給部１１１による電力の供給を一時的に停止（遮断）した後、当該電力の供給を再開（開始）するような制御を実行する。
【００４５】
また、図６に示すように、タブレット端末２０は、電源管理部２１１、表示制御部２１２及び情報取得部２１３を含む。
【００４６】
電源管理部２１１は、タブレット端末２０全体への電力供給を管理する機能部である。タブレット端末２０がクレードル１０に装着されている場合、電源管理部２１１は、クレードル１０に含まれる電力供給部１１１によって供給される電力を用いてバッテリ２０９を充電する。また、電源管理部２１１は、このようなバッテリ２０９の充電が開始された場合には、その旨を表示制御部２１２に通知する。
【００４７】
ここで、本実施形態において、タブレット端末２０は、例えばバッテリ２０９の残量（電池残量）等をユーザに提示するために、当該バッテリ２０９の充電の開始時には当該タブレット端末２０の画面（タッチスクリーンディスプレイ２２）を点灯させる（つまり、当該画面をオン状態とする）機能（以下、自動点灯機能と表記）を有する。この機能によれば、上記したクレードル１０に含まれる制御部１１３によって、電力供給部１１１による電力の供給を一時的に停止した後、当該電力の供給を再開するような制御が実行された場合には、自動的にタブレット端末２０の画面が点灯し、各種情報が表示可能となる。
【００４８】
更に、タブレット端末２０は、例えば当該タブレット端末２０の画面が点灯している状態において当該タブレット端末２０に対する操作が行われない場合には、当該タブレット端末２０の画面を自動的に消灯させる（つまり、当該画面をオフ状態とする）機能（以下、自動消灯機能と表記）を有する。なお、自動的に画面を消灯させるまでの期間（以下、自動消灯期間と表記）は、タブレット端末２０内で予め設定されているものとする。また、自動消灯期間の経過は、タブレット端末２０内の内部時計を用いて管理される。
【００４９】
表示制御部２１２は、上記した電源管理部２１１からの通知及び自動消灯期間等に基づいて、タブレット端末２０の画面の点灯及び消灯（つまり、オン状態及びオフ状態）を切り替える制御を実行する。
【００５０】
また、電源管理部２１１からバッテリ２０９の充電が開始された旨が通知された場合には上述した自動点灯機能によりタブレット端末２０の画面を点灯させるが、この場合、表示制御部２１２は、例えばユーザに提供する情報（以下、提供情報と表記）を当該画面（タッチスクリーンディスプレイ２２）に表示する。
【００５１】
情報取得部２１３は、上記したようにタブレット端末２０の画面を点灯させる際に当該画面に表示される提供情報を取得する。この提供情報は、格納部２１４に予め格納されていてもよいし、例えば外部の各種サーバ装置等から取得されても構わない。
【００５２】
次に、図７のフローチャートを参照して、本実施形態に係るクレードル１０の処理手順について説明する。
【００５３】
ここで、上述したようにタブレット端末２０がクレードル１０に装着された場合、クレードル１０（に備えられる載置部１２の上面）に設けられているスイッチ１２ｂは押下された状態となる。この場合、クレードル１０が電源オンされる（ブロックＢ１）。
【００５４】
クレードル１０が電源オンされると、当該クレードル１０に含まれる電力供給部１１１は、タブレット端末２０への電力の供給を開始する（ブロックＢ２）。
【００５５】
このようにタブレット端末２０への電力の供給が開始される（つまり、タブレット端末２０のバッテリの充電が開始される）と、タブレット端末２０においては、上述した自動点灯機能により自動的に画面が点灯し、提供情報が当該画面に表示される。
【００５６】
ここで、自動点灯機能により自動的にタブレット端末２０の画面が点灯した際に表示される提供情報には、例えばタブレット端末２０内に登録されている当該タブレット端末２０を利用するユーザのスケジュール（情報）、及び企業または商品等の宣伝広告（情報）等が含まれる。また、タブレット端末２０内にユーザの住所等が登録されている場合には、当該住所に応じた天気情報等が提供情報として表示されてもよいし、交通、防犯及び防災等に関する情報が提供情報として表示されても構わない。更に、遠隔地に居住する親族等を見守るために、外部のサーバ装置にアップロードされた当該親族に関する情報（例えば、当該親族からの伝言メッセージ、当該親族が利用しているタブレット端末等の利用状況及び当該タブレット端末に登録された当該親族の健康情報等）が提供情報として表示されても構わない。なお、提供情報はこれらに限定されない。また、これらの提供情報は、タブレット端末２０の画面に表示される際に格納部２１４から取得されてもよいし、外部のサーバ装置（クラウドサーバ）等から取得されてもよい。
【００５７】
なお、このようなタブレット端末２０における提供情報の表示は、上述したタブレット端末２０のコンピュータ（ＣＰＵ２０１）によってアプリケーションプログラムが実行されることによって実現される。
【００５８】
ここで、上記した検出部１１２は、人感センサ１２ｃにより、クレードル１０の周囲に人が存在している場合に当該人の存在を検出することができる。
【００５９】
これにより、制御部１１３は、クレードル１０の周囲に人が存在する（つまり、検出部１１２によって人の存在が検出された）か否かを判定する（ブロックＢ３）。
【００６０】
クレードル１０の周囲に人が存在すると判定された場合（ブロックＢ３のＹＥＳ）、制御部１１３は、電力供給部１１１によるタブレット端末２０への電力の供給を停止する（ブロックＢ４）。
【００６１】
ブロックＢ４においてタブレット端末２０への電力の供給が停止された後、一定期間（例えば、１秒程度）が経過すると、制御部１１３は、電力供給部１１１による当該電力の供給を再開する（ブロックＢ５）。
【００６２】
ブロックＢ５の処理が実行された際に、タブレット端末２０の画面が既に点灯しているである場合には、当該画面の点灯（状態）が継続される。一方、ブロックＢ５の処理が実行された際に、タブレット端末２０の画面が消灯している場合には、当該画面が点灯する。
【００６３】
これにより、上記したようにタブレット端末２０への電力の供給が一時的に停止された後に、当該電力の供給が再開された場合（つまり、タブレット端末２０においてバッテリ２０９の充電が再度開始された場合）には、タブレット端末２０の画面に提供情報を表示することができる。
【００６４】
ブロックＢ５の処理が実行されると、上述したブロックＢ３に戻って処理が繰り返される。
【００６５】
なお、上記したステップＢ３においてクレードル１０の周囲に人が存在しないと判定された場合（ブロックＢ３のＮＯ）、ブロックＢ４及びＢ５の処理は実行されず、再びブロックＢ３の処理が実行される。すなわち、本実施形態において、クレードル１０の周囲に人が存在しない場合には、タブレット端末２０への電力の供給が維持（継続）される。このようにタブレット端末２０への電力の供給が維持された場合、タブレット端末２０の画面は、上述した自動消灯機能により自動的に消灯する。
【００６６】
なお、図７に示す処理によれば、タブレット端末２０がクレードル１０に装着されている間にはブロックＢ３〜Ｂ５の処理が繰り返し実行されることとなるが、当該処理は、上述したタブレット端末２０において設定されている自動消灯期間に基づいて定められる期間毎に実行されるものとする。
【００６７】
具体的には、自動消灯期間の経過によってタブレット端末２０の画面が消灯する前にブロックＢ３〜Ｂ５の処理が実行されるようにすることで、クレードル１０の周囲に人が存在している間は、タブレット端末２０の画面を継続的に点灯させることができる。
【００６８】
一方、クレードル１０の周囲に人が存在していない場合には、ブロックＢ５及びＢ６の処理が実行されないため、タブレット端末２０の画面を自動的に消灯させることができる。
【００６９】
なお、タブレット端末２０がクレードル１０から取り外されると、当該クレードル１０に設けられているスイッチ１２ｂは、押下された状態から解放される。この場合、クレードル１０は電源オフされる。すなわち、図７に示す処理は、タブレット端末２０がクレードル１０から取り外された時点で終了される。
【００７０】
また、本実施形態において、提供情報は周囲に人が存在する場合にタブレット端末２０の画面に表示されるが、当該人はタブレット端末２０を利用するユーザに限られない。このため、タブレット端末２０の画面に表示される提供情報は、ユーザのプライバシー及び個人情報に関するものでないことが好ましい。
【００７１】
以下、図８を参照して、本実施形態に係るクレードル１０にタブレット端末２０が装着された場合における当該タブレット端末２０の画面の点灯及び消灯（つまり、オン状態及びオフ状態）の遷移について説明する。
【００７２】
ここでは、タブレット端末２０がクレードル１０に装着されていることによってタブレット端末２０のバッテリ２０９が充電されており、当該タブレット端末２０の画面は消灯している（つまり、充電・保管状態にある）ものとする。
【００７３】
このような場合において、クレードル１０の周囲で人の存在が検出された場合には、図８の矢印４０１に示すように、タブレット端末２０の画面は点灯する。
【００７４】
このようにタブレット端末２０の画面が点灯されると、図８に示す矢印４０２に示すように、当該画面には上述した提供情報が表示される。
【００７５】
ここで、図８の矢印４０３に示すように、所定時間（予め定められた期間）が経過した後にクレードル１０の周囲で人の存在が検出される場合を想定する。この場合には、上述したようにクレードル１０からタブレット端末２０への電力の供給を一時的に停止した後に、当該電力の供給を再開するような制御が実行される。このため、図８の矢印４０４に示すように、タブレット端末２０の画面の点灯状態（つまり、提供情報が表示された状態）は継続される。
【００７６】
一方、図８の矢印４０５に示すように、所定時間が経過した後にクレードル１０の周囲で人の存在が検出されない（つまり、周囲に人が存在しないことが検出された）場合を想定する。この場合には、クレードル１０からタブレット端末２０への電力の供給が維持される。このため、図８の矢印４０６に示すように、タブレット端末２０の画面は、上述した自動消灯期間が経過した後に消灯する。
【００７７】
上記したように本実施形態においては、クレードル１０にタブレット端末２０が装着されている間に当該クレードル１０の周囲で人の存在が検出された場合、タブレット端末２０のバッテリ２０９を充電するための電力の供給を一時的に停止した後、当該電力の供給を再開する制御を実行する。本実施形態においては、このような構成により、タブレット端末２０が有する自動点灯機能により当該タブレット端末２０の画面を自動的に点灯させ、当該画面に提供情報を表示することが可能となる。よって、本実施形態によれば、ユーザが情報を表示することを意図していないタブレット端末２０の充電時であっても、各種情報をユーザに提供することが可能となり、タブレット端末２０（携帯型端末装置）をより有効に活用することができるとともに当該タブレット端末２０の活用の幅を広げることが可能となる。
【００７８】
また、本実施形態においては、クレードル１０の周囲で人の存在が検出されている間、自動消灯期間に基づいて定められる期間毎に、電力の供給を一時的に停止した後、当該電力の供給を再開する制御を実行する。本実施形態においては、このような構成により、人が存在している間は、タブレット端末２０の画面の点灯状態（つまり、提供情報が表示されている状態）を継続させることが可能となる。
【００７９】
更に、本実施形態においては、クレードル１０の周囲で人の存在が検出されていない間は、電力の供給が維持される。本実施形態においては、このような構成により、クレードル１０の周囲に人がいない場合には自動消灯機能によりタブレット端末２０の画面が自動的に消灯するため、タブレット端末２０における電力消費を抑制することが可能となる。
【００８０】
なお、本実施形態においては、人の存在を検出するために人感センサ１２ｃを用いるものとして説明したが、当該人の存在を検出するために他のセンサ等が用いられても構わない。
【００８１】
具体的には、クレードル１０が置かれている部屋のドアの開閉を検出することができるセンサを用いるような構成であっても構わない。このような構成において、ドアが開かれたことが検出された場合には、人が部屋に進入してきたものとして人の存在を検出することができる。この場合には、例えばクレードル１０が通信モジュールを備え、センサによる検出結果がクレードル１０において受信されるような構成としてもよい。
【００８２】
また、周囲光の強度（つまり、照明の点灯等）を検出することができるようなセンサを用いることにより、照明の点灯が検出された場合には、周囲に人が存在しているものとして検出するようにしてもよい。更には、周囲の音を検出することができるようなセンサ（例えば、マイク等）を用いて人の存在を検出するようにしてもよい。
【００８３】
また、本実施形態に係るクレードル１０は卓上型のクレードルであるものとして説明したが、本実施形態は、例えば室内の壁面等に掛けられて使用される壁掛け型のクレードルに適用されても構わない。
【００８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８５】
１０…クレードル（電子機器）、１１…壁部、１２…載置部、１２ａ…充電端子、１２ｂ…スイッチ、１２ｃ…人感センサ、２０…タブレット端末（携帯型端末装置）、２１…本体、２２…タッチスクリーンディスプレイ、２２Ａ…ＬＣＤ、２２Ｂ…タッチパネル、２３…電源ボタン、３０…カバーユニット、３１…開口部、１０１…制御回路、１０２…充電回路、１１１…電力供給部、１１２…検出部、１１３…制御部、２０１…ＣＰＵ、２０２…不揮発性メモリ、２０３…主メモリ、２０４…ＢＩＯＳ−ＲＯＭ、２０５…システムコントローラ、２０６…グラフィクスコントローラ、２０７…ＥＣ、２０８…電源回路、２０９…バッテリ、２１１…電源管理部、２１２…表示制御部、２１３…情報取得部、２１４…格納部
【図１】
2016051295.tif 000003
【図２】
2016051295.tif 000004
【図３】
2016051295.tif 000005
【図４】
2016051295.tif 000006
【図５】
2016051295.tif 000007
【図６】
2016051295.tif 000008
【図７】
2016051295.tif 000009
【図８】
2016051295.tif 000010